(57)【要約】【課題】低コストで浴室内の温度ムラが少ないミストサウナ装置及び浴室を提供する。【解決手段】本発明のミストサウナ装置１は、浴室２の壁面５から突出して取り付けられる内部が中空のユニット本体６と、このユニット本体６の内部に配管された内部管路７と、この内部管路７から左右両側に分岐し且つ前記ユニット本体６の前面に露出するミスト噴出口９を有する左右一対のミスト噴出ノズル８，８とを備えている。そして、前記左右一対のミスト噴出ノズル８，８が、その先端側に向かうに従って当該両ノズル８，８同士間の距離が大きくなるように末広がり状に配置されている。【選択図】図１
2007229433.tif 000002
【特許請求の範囲】
【請求項１】
浴室の壁面から突出して取り付けられる内部が中空のユニット本体と、このユニット本体の内部に配管された内部管路と、この内部管路から左右両側に分岐し且つ前記ユニット本体の前面に露出するミスト噴出口を有する左右一対のミスト噴出ノズルとを備えているミストサウナ装置であって、
前記左右一対のミスト噴出ノズルが、その先端側に向かうに従って当該両ノズル同士間の距離が大きくなるように末広がり状に配置されていることを特徴とするミストサウナ装置。
【請求項２】
前記ユニット本体は上下方向に長いタワーパネルよりなり、前記左右一対のミスト噴出ノズルの間を通過する上下方向に長いスライド部材が前記タワーパネルの前面中央部に形成され、シャワーヘッドを着脱自在に保持するためのシャワーフックが前記スライド部材に対して上下位置調整可能となるようにスライド自在に取り付けられている請求項１に記載のミストサウナ装置。
【請求項３】
前記シャワーフックは、貫通孔が形成されたスライド基部を備えており、前記スライド部材は、前記タワーパネルの前面の上下端部から前方に突設された固定部材と、この上下の固定部材間に架設され且つ前記貫通孔を貫通するスライドバーとから構成されている請求項２に記載のミストサウナ装置。
【請求項４】
前記シャワーフックは、係合溝が形成されたスライド基部を備えており、前記スライド部材は、前記タワーパネルの前面中央部から前方に膨出し且つ幅方向両側に前記係合溝に嵌合する係合突条を有するスライドレールにより構成されている請求項２に記載のミストサウナ装置。
【請求項５】
前記ユニット本体は、ミスト噴霧の開始又は停止を指示するスイッチ部及び浴室内の温度を色により表示する温度表示部を有する操作表示部と、浴室内の温度を検知する温度センサ部とを備えており、前記温度センサ部による検知温度に基づいて前記温度表示部の色が変化する請求項１〜４のいずれか一項に記載のミストサウナ装置。
【請求項６】
前記操作表示部のスイッチ部は、ミスト保温運転モードか否かに関わらず、ミスト噴霧中に押されるとミストの噴霧が停止され、ミストの噴霧停止中に押されるとミストの噴霧が開始されるように設定されている請求項５に記載のミストサウナ装置。
【請求項７】
前記温度表示部を構成する発色部が、前記スイッチ部を構成する銘板及びスイッチスペーサの背後に配置されており、前記銘板の表面に透明部が設けられ且つ前記スイッチスペーサが半透明である請求項５又は６に記載のミストサウナ装置。
【請求項８】
浴槽と、この浴槽に近接する洗い場と、この洗い場の壁面に取り付けられた請求項１〜７のいずれか一項に記載のミストサウナ装置とを備えていることを特徴とする浴室。
【発明の詳細な説明】
【技術分野】
【０００１】
本発明は、浴室の壁面に設置されるミストサウナ装置及びこれを備えた浴室に関する。
【背景技術】
【０００２】
従来、浴室１０１の壁面１０２に設置されるミストサウナ装置１００として、図１１に示すように、左右一対のミスト噴霧ノズル１０３を壁面１０２の同一面上に配置したものがある（例えば、特許文献１参照）。このミストサウナ装置１００は、ミスト噴霧ノズル１０３を左右に首振り自在にすることによりミストの噴霧範囲を広げているが、この首振り機構ではミストを噴出する向きを調整できる範囲が狭いために浴室内に温度ムラが生じ易く、またコストが高いという問題もある。
浴室内の温度ムラを少なくしつつコストを抑えるためには、通常の固定式のミスト噴霧ノズル１１１を用い、図１２に示すように左右一対のミスト噴霧ノズル１１１，１１１間の距離を長くすることによりミストの噴霧範囲を広げたミストサウナ装置１１０が考えられる。
【特許文献１】特開２００５−１１８４５２号公報
【発明の開示】
【発明が解決しようとする課題】
【０００３】
しかしながら、図１２のミストサウナ装置１１０は、左右一対のミスト噴霧ノズル１１１，１１１間の内部管路１１２が長くなるために、配管コストが高くなる等の不都合が生じる。
本発明はこのような事情に鑑みてなされたものであり、浴室内の温度ムラが少なく、且つコストを低く抑えたミストサウナ装置及びこれを備えた浴室を提供することを目的としている。
【課題を解決するための手段】
【０００４】
本発明は上記目的を達成するために次の技術的手段を講じた。
本発明のミストサウナ装置は、浴室の壁面から突出して取り付けられる内部が中空のユニット本体と、このユニット本体の内部に配管された内部管路と、この内部管路から左右両側に分岐し且つ前記ユニット本体の前面に露出するミスト噴出口を有する左右一対のミスト噴出ノズルとを備えているミストサウナ装置であって、
前記左右一対のミスト噴出ノズルが、その先端側に向かうに従って当該両ノズル同士間の距離が大きくなるように末広がり状に配置されていることを特徴としている。
本明細書において、ミスト噴出口がユニット本体の前面に「露出する」とは、ミスト噴出口がユニット本体の前面から突出している場合だけでなく、浴室内にミストを噴出できる程度に、ユニット本体の内部に埋め込まれている場合も含む意味である。
この構成によれば、左右一対のミスト噴出ノズルを末広がり状に配置することによってユニット本体内部に配管される内部管路が短くなるため、配管コストが抑えられる。さらに、ミスト噴出ノズルをこのように配置することによりミストの噴霧範囲が広がるため、浴室内の温度ムラが少なくなり、快適なミストサウナ浴を楽しむことができる。
【０００５】
上記ミストサウナ装置は、前記ユニット本体は上下方向に長いタワーパネルよりなり、前記左右一対のミスト噴出ノズルの間を通過する上下方向に長いスライド部材が前記タワーパネルの前面中央部に形成され、シャワーヘッドを着脱自在に保持するためのシャワーフックが前記スライド部材に対して上下位置調整可能となるようにスライド自在に取り付けられていてもよい。
この場合、ユニット本体をタワーパネルとし、その前面にミスト噴出ノズルに加えて、シャワーヘッドを着脱自在に保持するためのシャワーフックと、このシャワーフックを上下にスライド自在とするスライド部材を取り付けているので、ミストを発生させるだけでなく、シャワーとしての機能も有することができ、さらにこれらを別々の場所に配置するよりも浴室の壁面空間を有効利用することができるという利点がある。さらに、シャワーフックがスライド部材に対して上下位置調整可能となり、シャワーヘッドを上下方向の任意の位置に固定して使用することができるため、ハンドシャワーの使い勝手が向上する。
【０００６】
ここで、前記シャワーフックは、貫通孔が形成されたスライド基部を備えており、前記スライド部材は、前記タワーパネルの前面の上下端部から前方に突設された固定部材と、この上下の固定部材間に架設され且つ前記貫通孔を貫通するスライドバーとから構成されていてもよい。
この場合、スライドバーに沿ってハンドシャワーをスライドさせて使用することができるため、ハンドシャワーの使い勝手が向上する。
【０００７】
また、前記シャワーフックは、係合溝が形成されたスライド基部を備えており、前記スライド部材は、前記タワーパネルの前面中央部から前方に膨出し且つ幅方向両側に前記係合溝に嵌合する係合突条を有するスライドレールにより構成されていてもよい。
この場合、スライド部材として、タワーパネルの前面にスライドレールを設けることにより、スライドバーと固定部材とをタワーパネルに取り付ける必要がなくなるため、コストの削減につながる。また、スライド部材がタワーパネルの前方に突出しないため、浴室内を広く使用することができる。
【０００８】
前記ユニット本体は、ミスト噴霧の開始又は停止を指示するスイッチ部及び浴室内の温度を色により表示する温度表示部を有する操作表示部と、浴室内の温度を検知する温度センサ部とを備えており、前記温度センサ部による検知温度に基づいて前記温度表示部の色が変化することが好ましい。
この場合、使用者が入浴中に、浴室内温度の目安を視覚的に確認することができる。
【０００９】
前記操作表示部のスイッチ部は、ミスト保温運転モードか否かに関わらず、ミスト噴霧中に押されるとミストの噴霧が停止され、ミストの噴霧停止中に押されるとミストの噴霧が開始されるように設定されていることが好ましい。
この場合、入浴中の使用者の操作が簡単であり、操作上の混乱を避けることができる。
【００１０】
前記温度表示部を構成する発色部が、前記スイッチ部を構成する銘板及びスイッチスペーサの背後に配置されており、前記銘板の表面に透明部が設けられ且つ前記スイッチスペーサが半透明であることが好ましい。
この場合、半透明のスイッチスペーサを介して銘板の透明部に透過された発色部の光が温度表示部として機能することから、スイッチ部を温度表示部とをまとめて設置することができるため、操作表示部をコンパクトにすることができる。
【００１１】
本発明の浴室は、浴槽と、この浴槽に近接する洗い場と、この洗い場の壁面に取り付けられた上記ミストサウナ装置とを備えていることを特徴にしている。浴室に上記のミストサウナ装置を設けることにより、低コストで、浴室内の温度ムラの少ない快適なミストサウナ浴を楽しむことができる。
【発明の効果】
【００１２】
本発明によれば、低コストで浴室内の温度ムラが少ないミストサウナ装置及び浴室を得ることができる。
【発明を実施するための最良の形態】
【００１３】
以下、添付図面を参照しつつ、本発明の実施形態を説明する。図１は本発明の一実施形態のミストサウナ装置１を備えた浴室２を示しており、(ａ)は平面図、（ｂ）は正面図である。
本発明の浴室２は、浴槽３と、この浴槽３に近接する洗い場４と、この洗い場４の壁面５に取り付けられた以下に説明するミストサウナ装置１とを備えている。
【００１４】
本発明の第１の実施形態に係るミストサウナ装置１は、図２に示すように、浴室２の洗い場４の壁面５から突出して取り付けられる内部が中空のユニット本体６と、このユニット本体６の内部に配管された内部管路７と、この内部管路７から左右両側に分岐し且つ前記ユニット本体６の前面に露出するミスト噴出口９を有する左右一対のミスト噴出ノズル８，８とを備えている。
【００１５】
ユニット本体６は、例えば、ＡＢＳ樹脂などのプラスチック製の断面略半円形状のパネルであり、壁面５から突出して取り付けられており、内部が中空となっている。
そして、このユニット本体６の内部には内部管路７が配管されている。この内部管路７は、給湯器（図示せず）と給湯配管１０を介して接続しており、給湯器から供給される温水を後述するミスト噴出ノズル８に搬送する。
ミスト噴出ノズル８は、内部管路７から左右両側に分岐し、ユニット本体６の前面に露出するミスト噴出口９を有している。このミスト噴出口９は、給湯器から給湯配管１０及び内部管路７を介して供給された温水をミスト状にして浴室２内に噴出する。そして、左右一対のミスト噴出ノズル８，８は、その先端側に向かうに従って当該両ノズル８，８同士間の距離が大きくなるように末広がり状に配置されている。
【００１６】
本発明のミストサウナ装置１は、ユニット本体６の前面に、左右一対のミスト噴出ノズル８，８を末広がり状に配置しているので、左右のミスト噴出ノズルが同一面上に配置された場合（図７参照）と比較すると、内部管路７が短くてすむために配管コストが抑えられる。また、ミストの噴霧範囲が広がるために、浴室内の温度ムラが少なくなり、快適なミストサウナ浴を楽しむことができる。
【００１７】
本発明の第２の実施形態に係るミストサウナ装置１は、図３（ａ）（ｂ）に示すように、ユニット本体６は上下方向に長いタワーパネル６ａよりなり、左右一対のミスト噴出ノズル８，８の間を通過する上下方向に長いスライド部材１１がタワーパネル６ａの前面中央部に形成され、シャワーヘッド（図示せず）を着脱自在に保持するためのシャワーフック１２がスライド部材１１に対して上下位置調整可能となるようにスライド自在に取り付けられている。
そして、ミスト噴出ノズル８が、左右それぞれ４個ずつ上下方向に所定の間隔をあけて設置されている。これは、例えば、２本の円筒状の管状部にそれぞれ４個ずつのミスト噴出ノズル８を所定間隔おきに取り付け、その管状部を内部管路７の左右両側に継管を介して接続することにより設置することができる。その他は上記第１の実施形態と同様であり、同一の符号を付すことにより説明を省略する。
【００１８】
第２の実施形態において、シャワーフック１２は、図３（ｂ）に示すように棒状体で構成され、スライド基部１３を備えている。このスライド基部１３には、図３（ｃ）に示すように貫通孔１４が形成され、さらにシャワーヘッドを着脱自在に保持するためのフック部分１５が設けられている。
スライド部材１１は、タワーパネル６ａの前面の上下端部から前方に突設された固定部材１６と、この上下の固定部材１６，１６間に架設され且つスライド基部１３の貫通孔１４を貫通するスライドバー１７とから構成される。
【００１９】
そして、スライドバー１７をシャワーフック１２の貫通孔１４に貫通させた状態でスライドバー１７を上下の固定部材１６，１６で固定することにより、シャワーフック１２がスライドバー１７に沿って上下位置調整可能となるようにスライド自在に取り付けられることになる。なお、シャワーフック１２には、固定ネジ（図示せず）が設けられており、この固定ネジを締めることによりシャワーフック１２をスライドバー１７における任意の位置に固定することができる。
【００２０】
このミストサウナ装置１は、ユニット本体６をタワーパネル６ａとし、シャワーヘッドを着脱自在に保持するためのシャワーフック１２と、このシャワーフック１２を上下にスライド自在とするスライド部材１１を取り付けているので、ミストを発生させるだけでなく、シャワーとしての機能も有することができ、さらに、これらを別々の場所に配置するよりも浴室２の壁面５空間を有効利用することができるという利点がある。さらに、シャワーフック１２がスライド部材１１であるスライドバー１７に対して上下位置調整可能となり、シャワーヘッドを上下方向の任意の位置に固定して使用することができるため、ハンドシャワーの使い勝手が向上する。
【００２１】
本発明の第３の実施形態に係るミストサウナ装置１は、スライド部材１１及びシャワーフック１２の構成が、上記第２の実施形態とは異なっている。すなわち、図４（ａ）（ｂ）（ｃ）に示すように、シャワーフック１２は、係合溝１８が形成されたスライド基部１３を備えており、スライド部材１１は、タワーパネル６ａの前面中央部から前方に膨出し且つ幅方向両側に前記係合溝１８に嵌合する係合突条１９を有するスライドレール２０により構成されている。その他は上記第２の実施形態と同様であり、同一の符号を付すことにより説明を省略する。
【００２２】
タワーパネル６ａの前面中央部に設けられたスライドレール２０の両側の係合突条１９，１９と、スライド基部１３の係合溝１８とを嵌合させることにより、シャワーフック１２が当該スライドレール２０に沿って上下にスライド自在となり、スライド基部１３に設けられた固定ネジ２１を締めることによりシャワーフック１２を所定の位置に固定することが可能になる。
このミストサウナ装置１によれば、上記第２の実施形態と同様に、ミスト機能だけでなく、シャワー機能を発揮することができる。さらに、スライド部材１１として、タワーパネル６ａの前面にスライドレール２０を設けることにより、固定部材１６とスライドバー１７とをタワーパネル６ａに取り付ける必要がなくなるため、コストの削減につながる。また、スライドレール２０がタワーパネル６ａの前面に設けられているので、スライド部材１１がタワーパネル６ａの前方に突出せず、浴室内を広く使用することができる。
【００２３】
本発明の第４の実施形態に係るミストサウナ装置１は、図５（ａ）（ｂ）に示すように、上記第３の実施形態において、ユニット本体６であるタワーパネル６ａが、操作表示部２２と温度センサ部２３とを備えている。操作表示部２２はスライドレール２０の下側に設けられており、ミスト噴霧の開始又は停止を指示するスイッチ部２４及び浴室２内の温度を色により表示する温度表示部２５を有している。温度センサ部２３は、図５（ａ）において、タワーパネル６ａの左側面であって、ミスト噴出ノズル８より上側に設けられており、浴室内の温度を検知するものである。そして、温度表示部２５は、温度センサ部２３による検知温度に基づいて浴室内の温度表示を行うものである。その他は上記第３の実施形態と同様であり、同一の符号を付すことにより説明を省略する。
【００２４】
図６（ａ）は上記操作表示部２２の正面図であり、（ｂ）はその断面図である。
操作表示部２２は、図６（ｂ）に示すように、発色部としてのフルカラーＬＥＤ２６、スイッチ２７、制御部（制御基板）２８、スイッチスペーサ２９、ケース３０、スイッチカバー３１及び銘板３２を備えている。フルカラーＬＥＤ２６及びミスト噴霧を開始又は停止させるスイッチ２７は、ケース３０の内部に配設された制御部（制御基板）２８上に並べて配置されている。そして、スイッチカバー３１にスイッチスペーサ２９がはめ込まれ、その上から銘板３２でスイッチスペーサ２９を固定している。
ここで、スイッチ部２４は、銘板３２とスイッチスペーサ２９とスイッチ２７とで構成されている。前記スイッチスペーサ２９のピン２９ａと前記スイッチ２７の上面２７ａとの間には約０．２〜０．３ｍｍのクリアランスが形成されており、銘板３２を押すことによってスイッチスペーサ２９及びスイッチ２７が押されて、ミスト噴霧が開始又は停止されることになる。
【００２５】
発光部であるフルカラーＬＥＤ２６はスイッチスペーサ２９の背後に設置されており、半透明の樹脂製のスイッチスペーサ２９が、フルカラーＬＥＤ２６を取り囲むことにより、フルカラーＬＥＤ２６の光拡散性を増大させている。そして、このフルカラーＬＥＤ２６の光がスイッチスペーサ２９を介して銘板３２の表面にリング状に設けられた透明部３２ａに透過され、この透明部３２ａが温度表示部２５として機能することになる。前記フルカラーＬＥＤ２６の光は、温度センサ部２３による検知温度に基づいて色が変化する。
このような構成にすることにより、半透明のスイッチスペーサ２９を介して銘板３２の透明部３２ａに透過されたフルカラーＬＥＤ２６の光が温度表示部２５として機能することから、スイッチ部２４を温度表示部２５とをまとめて設置することができるため、操作表示部２２をコンパクトにすることができる。
【００２６】
温度表示部２５（透明部３２ａ）は、温度センサ部２３により検知された温度に対応して色が変化するように制御部２８により制御されている。温度表示部２５（透明部３２ａ）は、例えば、浴室２内温度の目安として５℃未満の場合は白色、５℃以上１２℃未満の場合は白色〜青色、１２℃以上２３℃未満の場合は青色〜水色、２３℃以上３６℃未満の場合は水色〜黄色、３６℃以上４５℃未満の場合は黄色〜赤色、４５℃以上の場合は赤色となるように設定されている。
温度表示部２５の色を、温度センサ部２３による検知温度に基づいて変化させることができるので、使用者が入浴中に、浴室内温度の目安を視覚的に確認することができる。
【００２７】
次に、上記第４の実施形態に係るミストサウナ装置１の動作について説明する。
このミストサウナ装置１は、さらに浴室外、例えば脱衣室に、図７に示すような浴室外操作表示部３３を備えている。この浴室外操作表示部３３は、ミストサウナ装置１の運転を開始又は停止させる運転スイッチ部３４、ミスト運転を開始又は停止させるミストスイッチ部３５、ミスト保温運転を開始又は停止させるミスト保温スイッチ部３６等を有している。
【００２８】
図８は、上記第４の実施形態に係るミストサウナ装置１のミスト運転モードに係る制御動作のフローチャートである。
図８において、使用者が浴室外操作表示部３３に配置された運転スイッチ部３４を押すと、運転開始の信号が制御部２８に入力され、同時に操作表示部２２の温度表示部２５が点灯して浴室２内温度を表示する（ステップＳ１）。そして、浴室外操作表示部３３のミストスイッチ部３５又はタワーパネル６ａに設置された操作表示部２２のスイッチ部２４を押すと（ステップＳ２）、ミスト運転が開始され、ミスト噴出ノズル８からミストが噴霧される（ステップＳ３）。そして、浴室２内温度が所定温度（例えば、４０℃）となり（ステップＳ４）、所定時間（例えば、１０秒間）経過すると（ステップＳ５）、ミスト噴霧が停止され、ミスト運転が終了する。なお、ミスト噴霧中に、スイッチ部２４を押しても、ミスト噴霧が停止され、ミスト運転が終了する。
【００２９】
図９は、上記第４の実施形態に係るミストサウナ装置１のミスト保温運転モードに係る制御動作のフローチャートである。
図９において、使用者が浴室外操作表示部３３に配置された運転スイッチ部３４を押すと、運転開始の信号が制御部２８に入力され、同時に操作表示部２２の温度表示部２５が点灯して浴室２内温度を表示する（ステップＳ１１）。そして、浴室外操作表示部３３のミスト保温スイッチ部３６を押すと（ステップＳ１２）、ミスト保温運転が開始され、ミスト噴出ノズル８からミストが噴霧される（ステップＳ１３）。ここで、ミスト噴霧中に操作表示部２２のスイッチ部２４を押すと（ステップＳ１４）、ミスト噴霧が停止され、ミスト保温運転が解除される（ステップＳ１５）。一方、噴霧を続けて、浴室２内温度が所定温度（例えば、４０℃）となり（ステップＳ１６）、所定時間（例えば、１０秒間）経過すると（ステップＳ１７）、ミスト噴霧が停止する。以降ミスト噴霧と停止とを繰り返して前記温度を所定時間（例えば、１時間）維持すると（ステップＳ１９）、ミスト保温運転が解除される。一方、上記所定時間（例えば、１時間）内にスイッチ部２４を押すと（ステップ１８）、ミスト保温運転が解除されてミスト運転に切り替わり、ミストが噴霧される（図８のステップＳ３）。
【００３０】
このように、上記第４の実施形態に係るミストサウナ装置１では、ミスト保温運転モードか否かに関わらず、ミスト噴霧中にスイッチ部２４を押すとミストの噴霧が停止され、ミストの噴霧停止中にスイッチ部２４を押すとミストの噴霧が開始されるので、入浴中の使用者の操作が簡単であり、操作上の混乱を避けることができる。
【００３１】
なお、本発明において、前述の実施形態に限らず、本発明の範囲内で適宜変更が可能である。
ユニット本体６は、浴室２の壁面５から突出して取り付けられ、内部が中空となるものであればよく、図１０に示すように、断面山形のパネルとすることも可能である。この場合にも、断面略半円形のパネルであるユニット本体６と同様に、前面にスライド部材１１及びシャワーフック１２を形成することによりシャワー機能を兼備することができる。
ミスト噴出ノズル８の数は上記実施形態の数に限定されるわけではなく、浴室２の広さ等に応じて適宜変更すればよい。
シャワー機能を有するミストサウナ装置１にあって、シャワーフック１２を上下にスライド自在とする必要がない場合には、スライド部材１１を設けないで１個以上のシャワーフック１２をユニット本体６に取り付けることも可能である。
温度表示部２５の色と浴室２内温度目安とは上記対応に限定されるわけではなく、適宜変更することができる。また、温度表示部２５は、浴室２内温度を表示するだけでなく、エラーの発生、運転モード表示等を、例えば、上記とは異なる色による表示、点滅させる等の方法により行うことも可能である。
操作表示部２２及び温度センサ部２３の設置場所は、上記の例に限定されるわけではなく、また第１〜第２の実施形態のユニット本体６に設置することも当然可能である。
また、浴室２は、ミストサウナ装置１、浴槽３、洗い場４のほかに、通常の浴室が備えている設備、例えば、混合水栓、カウンター、鏡、浴室暖房機を備えることももちろん可能である。
【図面の簡単な説明】
【００３２】
【図１】(ａ)は本発明の第１の実施形態のミストサウナ装置を備えた浴室を示す平面図であり、（ｂ）は正面図である。
【図２】図１のミストサウナ装置の要部拡大断面図である。
【図３】（ａ）は本発明の第２の実施形態のミストサウナ装置を示す正面図であり、（ｂ）は側面図であり、（ｃ）はその平面図である。
【図４】（ａ）は本発明の第３の実施形態のミストサウナ装置を示す正面図であり、（ｂ）は側面図であり、（ｃ）はその平面図である。
【図５】（ａ）は本発明の第４の実施形態のミストサウナ装置を示す正面図であり、（ｂ）は側面図である。
【図６】（ａ）は、操作表示部の正面図であり、（ｂ）はその断面図である。
【図７】浴室外操作表示部の正面図である。
【図８】本発明の第４の実施形態に係るミストサウナ装置のミスト運転に係る制御動作のフローチャートである。
【図９】本発明の第４の実施形態に係るミストサウナ装置のミスト保温運転に係る制御動作のフローチャートである。
【図１０】本発明のミストサウナ装置のユニット本体の別の形状を示す断面図である。
【図１１】従来のミストサウナ装置を備えた浴室の斜視図である。
【図１２】参考となるミストサウナ装置を備えた浴室の平面図である。
【符号の説明】
【００３３】
１    ミストサウナ装置
２    浴室
３    浴槽
４    洗い場
５    壁面
６    ユニット本体
７    内部管路
８    ミスト噴出ノズル
１１  スライド部材
１２  シャワーフック
１３  スライド基部
１７  スライドバー
２０  スライドレール
２２  操作表示部
２３  温度センサ部
２４  スイッチ部
２５  温度表示部
【図１】
2007229433.tif 000003
【図２】
2007229433.tif 000004
【図３】
2007229433.tif 000005
【図４】
2007229433.tif 000006
【図５】
2007229433.tif 000007
【図６】
2007229433.tif 000008
【図７】
2007229433.tif 000009
【図８】
2007229433.tif 000010
【図９】
2007229433.tif 000011
【図１０】
2007229433.tif 000012
【図１１】
2007229433.tif 000013
【図１２】
2007229433.tif 000014